(57)【要約】【課題】シリンダヘッドカバー等のハウジング２の開口３の周縁部３ａと、開口３に挿入されるプラグチューブ等の挿入部材６との間をシールする密封装置１において、密封装置１の構成部品がハウジング２の内側へ抜け落ちることがなく外側へ外れることもなく、しかも部品点数の増大や構造の複雑化と云った不都合を生じることもない密封装置１を提供することを目的とする。【解決手段】第一リップシール１１およびその外側に配置される第二リップシール３１を有し、両リップシール１１，３１は何れもハウジング２の外側から開口周縁部３ａに装着される。外側の第二リップシール３１は、ハウジング２の開口周縁部３ａに固定される固定部材３２を有し、この固定部材３２により第一リップシール１１の抜け止めを兼ねる。【選択図】図１
2007085414.tif 000002
【特許請求の範囲】
【請求項１】
ハウジング（２）における開口（３）の周縁部（３ａ）と、前記開口（３）に挿入される挿入部材（６）との間をシールする密封装置（１）において、
前記ハウジング（２）に装着されて前記挿入部材（６）に密接する第一リップシール（１１）と、前記第一リップシール（１１）の外側にて前記ハウジング（２）に装着されて前記挿入部材（６）に密接する第二リップシール（３１）とを有し、
前記第一および第二リップシール（１１）（３１）は何れも前記ハウジング（２）の外側から前記開口周縁部（３ａ）に装着されるものであり、
前記第二リップシール（３１）は、前記ハウジング（２）に固定される固定部材（３２）と、前記固定部材（３２）に保持されて前記挿入部材（６）に密接するシールリップ（３３）とを有するとともに、前記固定部材（３２）により前記第一リップシール（１１）の抜け止めを兼ねることを特徴とする密封装置。
【発明の詳細な説明】
【技術分野】
【０００１】
本発明は、密封技術に係る密封装置に係り、更に詳しくは、相手部材に密接するリップシールを有する密封装置に関するものである。本発明の密封装置は、自動車関連分野または一般産業機械の分野等において用いられ、例えば自動車関連分野においては、内燃機関におけるシリンダヘッドカバーとインジェクションパイプとの間またはシリンダヘッドカバーとプラグチューブとの間をシールするために用いられる。
【背景技術】
【０００２】
例えば、自動車等車両における内燃機関のシリンダヘッドカバーには、インジェクションパイプやプラグチューブ等の挿入部材を挿入するための開口（挿通孔）が設けられており、この開口に挿入部材を挿入した状態において、開口の周縁部と挿入部材との間をシールするよう密封装置が装着されている。
【０００３】
図２は、このような密封装置の一例としてのインジェクションパイプシール５１を示しており、このシール５１は、シリンダヘッドカバー６１に設けた開口６２の内周面に嵌着されつつ該開口６２の内周面のシールを行なう第１嵌着部５３と、インジェクションパイプ６３の外周面に追随自在に設けられつつ該インジェクションパイプ６３の外周面をシールするシールリップ５４と、を有する第１シール部材５２と、前記第１嵌着部５３の内周面に嵌着されつつ該第１嵌着部５３の内周面のシールを行なう第２嵌着部５６と、前記インジェクションパイプ６３の外周面をシールするダストリップ５７と、を有する第２シール部材５５と、の組み合わせによって構成されており、シールリップ５４およびダストリップ５７がともにシリンダヘッドカバー６１の外側（図では上側）に向けて配置されていることから、この二重構造のリップ５４，５７によって、優れたシール作用を発揮することが可能とされている。
【０００４】
しかしながら、上記シール５１は、図示するようにシリンダヘッドカバー６１に対してその内側（図では下側）から装着される構成（装着方向を矢印Ａにて示す）であるために、以下のような問題を有している。
（１）上記したようにシール５１はシリンダヘッドカバー６１に対してその内側から装着される構成であるために、装着後、シール５１がシリンダヘッドカバー６１の内側へ抜け落ちる可能性がある。特にシリンダヘッドカバー６１が樹脂材質により成形されていてその開口周縁部の寸法バラツキが大きい場合には、シール５１が抜け落ちる可能性が高い。
（２）シール５１の抜け落ちを防止するためには、抜け防止部材を別部品として設ける必要がある。したがって、シール５１の部品点数が増大したり構造が複雑化したりすることがある。
【０００５】
【特許文献１】特開２００３−１０６４５５号公報
【発明の開示】
【発明が解決しようとする課題】
【０００６】
本発明は以上の点に鑑みて、密封装置の構成部品がシリンダヘッドカバー等のハウジングの内側へ抜け落ちることがなく外側へ外れることもなく、しかも部品点数の増大や構造の複雑化と云った不都合を生じることもない密封装置を提供することを目的とする。
【課題を解決するための手段】
【０００７】
上記目的を達成するため、本発明の密封装置は、ハウジングにおける開口の周縁部と、前記開口に挿入される挿入部材との間をシールする密封装置において、前記ハウジングに装着されて前記挿入部材に密接する第一リップシールと、前記第一リップシールの外側にて前記ハウジングに装着されて前記挿入部材に密接する第二リップシールとを有し、前記第一および第二リップシールは何れも前記ハウジングの外側から前記開口周縁部に装着されるものであり、前記第二リップシールは、前記ハウジングに固定される固定部材と、前記固定部材に保持されて前記挿入部材に密接するシールリップとを有するとともに、前記固定部材により前記第一リップシールの抜け止めを兼ねることを特徴とするものである。
【発明の効果】
【０００８】
本発明は、以下の効果を奏する。
【０００９】
すなわち、上記構成を有する本発明の密封装置においては、第一リップシールおよびその外側に配置される第二リップシールがともにハウジングの外側からハウジングの開口周縁部に装着されるものであるために、装着方向反対側であるハウジングの内側へは抜け落ちることがない構成とされている。また装着後、ハウジングに装着された第二リップシールはその固定部材が第一リップシールの抜け止めを兼ねることから、この固定部材による抜け止め作用によって第一リップシールはハウジングの外側へ外れることがない。一方、第二リップシールはその固定部材がハウジングに強固に固定されることから、やはりハウジングの外側へ外れることがない。したがって、第一および第二リップシールともにハウジングの内側へ抜け落ちることがなくハウジングの外側へ外れることもないダブルリップタイプの密封装置を提供することができる。
【００１０】
また、第一リップシールは第二リップシールの固定部材によって抜け止めされるとともに、第二リップシールはその固定部材によって自ら抜け止めされる構成であるために、これらリップシールの抜け防止のために抜け防止部材を別部品として設ける必要がない。したがって、専用の抜け防止部材を設けることによって密封装置の部品点数が増大したり構造が複雑化したりするのを未然に防止することができる。
【発明を実施するための最良の形態】
【００１１】
つぎに本発明の実施例を図面にしたがって説明する。
【００１２】
図１は、本発明の実施例に係る密封装置１の半裁断面を示している。当該実施例に係る密封装置１は、自動車等車両の内燃機関におけるシリンダヘッドカバー２に設けた開口３の周縁部３ａと、この開口３に挿入されるプラグチューブ６の周面との間の環状の隙間をシールするものであって、以下のように構成されている。尚、当該密封装置１は、その用途からして、プラグチューブガスケットと称されることもある。
【００１３】
すなわち先ず、上記ヘッドカバー２の開口周縁部３ａに固定されてプラグチューブ６の周面に密接する第一リップシール（ガスケットまたはガスケット本体とも称する）１１が設けられるとともに、この第一リップシール１１の外側（図では上側）において同じくヘッドカバー２の開口周縁部３ａに固定されてプラグチューブ６の周面に密接する第二リップシール（ダストシールまたは泥水シールとも称する）３１が設けられており、この両リップシール１１，３１はそれぞれヘッドカバー２の外側（図では上側）から開口周縁部３ａに装着されるように構成されている。
【００１４】
また、第一リップシール１１は、ヘッドカバー２の開口周縁部３ａの円筒状内周面に予め設けた環状を呈する段差状の軸方向位置決め部４と第二リップシール３１の固定部材３２との間に挟まれることによってヘッドカバー２に装着される用に構成されており、一方、第二リップシール３１は、その構成要素である固定部材３２がヘッドカバー２に固定されることによってヘッドカバー２に装着されるように構成されている。段差状の軸方向位置決め部４はヘッドカバー２の外側へ向けて設けられている。
【００１５】
上記第一リップシール１１は、ヘッドカバー２における開口周縁部３ａの円筒状内周面に圧入嵌合される環状の外周取付部１２と、プラグチューブ６の周面に密接する環状のシールリップ部１９と、外周取付部１２およびシールリップ部１９間に設けられた環状の偏心追随部２２とを一体に有している。
【００１６】
このうち、外周取付部１２は、筒状部１３ａの軸方向一端（外端）に径方向内方へ向けてフランジ部１３ｂを一体成形した断面Ｌ字形の金属環１３と、この金属環１３の外周面に被着されたゴム状弾性材製の外周ゴム部１４と、金属環１３の内周面に被着された同じくゴム状弾性材製の内周ゴム部１５とを一体に有しており、外周ゴム部１４の更に外周側に、当該第一リップシール１１のヘッドカバー２に対する挿入方向（図上Ｂ方向）とは逆方向（軸方向反対方向）に傾くようにして環状の外周リップ１６が一体成形されている。
【００１７】
外周ゴム部１４は、その外径寸法φＡをヘッドカバー２における開口３の内径寸法φＢよりも小さく形成されており（φＡ＜φＢ）、これによりこの外周ゴム部１４は、ヘッドカバー２に対する締め代を零に設定されている。これに対して外周リップ部１６は、その外径寸法φＣをヘッドカバー２における開口３の内径寸法φＢよりも大きく形成されていて（φＣ＞φＢ）、ヘッドカバー２に対する締め代を零よりも大きな値に設定されており、これにより圧入時に径方向内方へ倒れるように弾性変形してヘッドカバー２における開口３の内径寸法φＢの寸法誤差を吸収することが可能とされている。これは、ヘッドカバー２が樹脂材質よりなり、よってその成形時の寸法誤差が金属材質のものよりも大きいことに対処するためである。
【００１８】
外周ゴム部１４における圧入方向前方側端部の外周部位には、圧入時に第一リップシール１１をヘッドカバー２に対して径方向に位置決めするための環状を呈するテーパ状の径方向位置決め部１７が設けられている。このテーパ状の径方向位置決め部１７は、圧入時に、ヘッドカバー２の段差状軸方向位置決め部４の外周部位に予め対応して設けた環状を呈するテーパ状の径方向位置決め部５に当接し、これにより当該第一リップシール１１をヘッドカバー２に対して径方向に位置決めする。
【００１９】
偏心追随部２２は、外周取付部１２の内周ゴム部１５から軸方向一方（図では下方）へ向けて一体成形された膜部２３と、その先端に一体成形された断面Ｕ字形の反転部２４とを一体に有しており、この反転部２４の先端に軸方向他方（図では上方）へ向けてシールリップ部１９が一体成形されている。シールリップ部１９には、プラグチューブ６に対する締め代調整用のガータスプリング２０が設けられている。尚、偏心追随部２２は、その形状がベロー状である場合には、ベロー部と称されることもある。
【００２０】
上記したように、ヘッドカバー２における開口３の内周面には、段差状の軸方向位置決め部４が設けられており、これにより第一リップシール１１が軸方向に位置決めされるように構成されている。すなわち第一リップシール１１は、ヘッドカバー２の外側から開口３に挿入されるが、この挿入時に第一リップシール１１の外周ゴム部１４が位置決め部４に当接することによって、第一リップシール１１がヘッドカバー２に対して軸方向に位置決めされる。また、この位置決め部４の外周部位には、上記したようにテーパ状の径方向位置決め部５が設けられているので、第一リップシール１１はヘッドカバー２に対して径方向についても位置決めされる。
【００２１】
また、第一リップシール１１の外側（図では上側）には、ダストシールとして機能する第二リップシール３１が設けられており、これによりダストの侵入を防止し、かつ第一リップシール１１がヘッドカバー２から外れるのが防止されている。すなわちこの第二リップシール３１は、環状を呈する樹脂製の固定部材３２と、この固定部材３２の内周部に被着されたゴム状弾性材製のダストリップ部３３とを一体に有しており、樹脂材質よりなる固定部材３２か同じく樹脂材質よりなるヘッドカバー２に溶着固定されて第一リップシール１１を押さえ込むことによって、第一リップシール１１を抜け止めし、かつダストリップ部３３がプラグチューブ６の周面に密接することによりダストの侵入を防止するように構成されている。
【００２２】
上記構成の密封装置１においては、第一リップシール１１およびその外側に配置される第二リップシール３１がともにヘッドカバー２の外側（図では上側）からヘッドカバー２の開口周縁部３ａに装着されるものとされているために、装着方向反対側であるヘッドカバー２の内側（図では下側）へは抜け落ちることがない構成とされている。また装着後、ヘッドカバー２に装着された第二リップシール３１はその固定部材３２が第一リップシール１１の抜け止め部を兼ねることから、この固定部材３２による抜け止め作用によって第一リップシール１１はヘッドカバー２の外側へ外れることがない。一方、第二リップシール３１はその固定部材３２がヘッドカバー２に強固に固定されることから、やはりヘッドカバー２の外側へ外れることがない。したがって、第一リップシール１１および第二リップシール３１がヘッドカバー２の内側へ抜け落ちるのを有効に防止することができるとともにヘッドカバー２の外側へ外れるのを有効に防止することもできる。
【００２３】
また、第一リップシール１１は第二リップシール３１の固定部材３２によって抜け止めされるとともに、第二リップシール３１はその固定部材３２によって自ら抜け止めされる構成であるために、これらリップシール１１，３１の抜け防止のために抜け防止部材を別部品として設ける必要がない。したがって、専用の抜け防止部材を設けることによって密封装置１の部品点数が増大したり構造が複雑化したりするのを未然に防止することができる。
【００２４】
また、ヘッドカバー２の開口周縁部３ａに段差状の軸方向位置決め部４が設けられているために、この段差状の軸方向位置決め部４とヘッドカバー２に固定される第二リップシール３１の固定部材３２との間に第一リップシール１１を挟み込んで固定することによって、第一リップシール１１を位置決め精度良くかつ作業上容易にヘッドカバー２に固定することが可能とされている。したがって、当該密封装置１の装着作業、特に第一リップシール１１の圧入および位置決め作業を容易化することができる。
【００２５】
また、第二リップシール３１の固定部材３２が樹脂材質とされて同じく樹脂材質よりなるヘッドカバー２に溶着固定されることから、固定部材３２をヘッドカバー２に対して強固に固定することが可能とされている。したがって、この第二リップシール３１による第一リップシール１１の抜け止め効果は大きく、かつ第二リップシール３１自体もヘッドカバー２に対して強固に固定される。
【００２６】
また、上記構成の密封装置１においては、第一リップシール１１に設けた外周リップ部１６がヘッドカバー２との間のシール作用をなし、シールリップ部１９がプラグチューブ６との間のシール作用をなし、偏心追随部２２がプラグチューブ６の偏心に対する追随作用をなすが、特に外周リップ部１６が上記シール作用とともにヘッドカバー２に対する嵌合作用をなし、かつこの外周リップ部１６が圧入時に弾性変形して開口３の内径寸法φＢの寸法誤差を吸収可能とされているために、樹脂製のヘッドカバー２における開口３の内径寸法φＢに締め代を増大させるような寸法誤差があっても、このリップ部１６が倒れて縮径するよう弾性変形することによって、寸法誤差を吸収することが可能とされている。リップ部１６は、第一リップシール１１のヘッドカバー２に対する圧入方向とは逆方向に傾くように設けられているので、第一リップシール１１をヘッドカバー２に圧入するときに倒れ易く、弾性変形し易いものである。したがって、樹脂製のヘッドカバー２における開口３の内径寸法φＢに締め代を増大させるような寸法誤差があっても、圧入時の高圧縮荷重をリップ部１６が倒れるように弾性変形して吸収することから、第一リップシール１１をヘッドカバー２に圧入するときに外周ゴム部１４が毟れたり、あるいは第一リップシール１１をヘッドカバー２に圧入することができなかったりすると云った不都合が発生するのを未然に防止することができ、そのうえで、上記リップ部１６により第一リップシール１１をヘッドカバー２に対して径方向に位置決め固定することができる。また、このようにリップ部１６は第一リップシール１１のヘッドカバー２に対する圧入方向とは逆方向に傾くように設けられているので、圧入荷重も低減される。
【００２７】
また、上記したように第一リップシール１１を、その外周に設けたリップ部１６によってヘッドカバー２に固定する構成とすると、従来のスクィーズ状の外周ゴム部によって固定する場合と比較して、ヘッドカバー２に対する嵌合力が低下することが懸念されるが、上記構成の密封装置１においては、第一リップシール１１の外側に第二リップシール３１が配置されていて、その構成要素である樹脂製の固定部材３２が同じく樹脂製のヘッドカバー２に溶着固定されるために、この固定部材３２による抜け止め作用によって、第一リップシール１１がヘッドカバー２から抜け出るのを有効に防止することができる。
【００２８】
更にまた、第一リップシール１１の外側に、固定部材３２およびダストリップ部３３を一体に有する第二リップシール３１が配置されていると、この第二リップシール３１によるシール作用によって外部のダストがヘッドカバー２内へ侵入するのを有効に防止することができる。第一リップシール１１の外側に第二リップシール３１が配置されていないと、泥水等の外部ダストが偏心追随部２２の外側空間２５に侵入して泥分等が堆積することにより偏心追随部２２のプラグチューブ６に対する偏心追随性が損なわれることがあるが、上記構成によればこのようなことがなく、よって偏心追随部２２のプラグチューブ６に対する偏心追随性を長期間に亙って確保することができる。
【図面の簡単な説明】
【００２９】
【図１】本発明の実施例に係る密封装置の半裁断面図
【図２】従来例に係る密封装置の断面図
【符号の説明】
【００３０】
１  プラグチューブガスケット（密封装置）
２  シリンダヘッドカバー（ハウジング）
３  開口
３ａ  周縁部
４  軸方向位置決め部
５，１７  径方向位置決め部
６  プラグチューブ（挿入部材）
１１  第一リップシール
１２  外周取付部
１３  金属環
１４  外周ゴム部
１５  内周ゴム部
１６  外周リップ部
１９  シールリップ部
２０  ガータスプリング
２２  偏心追随部
２３  膜部
２４  反転部
２５  外側空間
３１  第二リップシール
３２  固定部材
３３  ダストリップ部（シールリップ）
【図１】
2007085414.tif 000003
【図２】
2007085414.tif 000004